(57)【要約】【課題】本発明の目的は、２種以上の表示素子を規則正しく並べやすい電気泳動表示用素子を提供することにある。【解決手段】電気泳動性粒子と分散媒とを内包してなる電気泳動表示用表示素子であって、表示素子が糸状であることを特徴とする電気泳動表示素子。表示素子が、中空糸を含んでなる上記表示素子。電気泳動性粒子と分散媒とを含んでなる電気泳動表示液を糸状の表示素子に内包した後、前記表示素子を電極間に配置することを特徴とする電気泳動表示装置の製造方法。【選択図】図１
2004070206.tif 000002
【特許請求の範囲】
【請求項１】
電気泳動性粒子と分散媒とを内包してなる電気泳動表示用表示素子であって、表示素子が糸状であることを特徴とする電気泳動表示素子。
【請求項２】
表示素子が、中空糸を含んでなる請求項１記載の表示素子。
【請求項３】
請求項１または２記載の表示素子を、電極間に挟んでなる電気泳動表示装置。
【請求項４】
すくなくとも２種の請求項１または２記載の表示素子を含む請求項３記載の電気泳動表示装置。
【請求項５】
電気泳動性粒子と分散媒とを含んでなる電気泳動表示液を糸状の表示素子に内包した後、前記表示素子を電極間に配置することを特徴とする電気泳動表示装置の製造方法。
【請求項６】
電気泳動性粒子と分散媒とを含んでなる電気泳動表示液を内包したものを糸状とした後、前記表示素子を電極間に配置することを特徴とする電気泳動表示装置の製造方法。
【発明の詳細な説明】
【０００１】
【発明の属する技術分野】
本発明は、電気泳動表示装置に関する。
【０００２】
【従来の技術】
電界の作用により可逆的に視認状態を変化させうる表示媒体に用いられる表示素子としては、液晶素子、エレクトロクロミック素子、電気泳動素子、磁気泳動素子等が知られている。それらを用いた表示媒体の多くは、一対の電極基板とその間に挿入された表示素子からなり、該表示媒体には各電極に画像を表示するための信号を印加する駆動回路が接続されている。
【０００３】
これらの表示媒体のうち、電気泳動表示素子には、分散媒に対して染料を溶解させかつ顔料粒子を非溶解状で分散させた電気泳動表示装置用表示液、または２種の顔料粒子を分散させた電気泳動表示装置用表示液などが用いられる。このような分散粒子と該分散粒子と異なる色調に着色された分散媒とからなる電気泳動用表示液をマイクロカプセル中に封入し、これらのマイクロカプセルを電極間に配装する構成の電気泳動表示装置が提案され（特開公平１−８６１１６号公報）、電気泳動表示装置の構成方法としても簡便な手段が提案されるようになってきた。
【０００４】
マルチカラーの電気泳動表示装置を実現するためには、異なる着色形態を取りうる少なくとも２種の表示素子が必要となる。しかし、異なる表示素子を所望の位置に規則正しく並べることが難しいという問題点があった。
【０００５】
【発明が解決しようとする課題】
本発明の目的は、２種以上の表示素子を規則正しく並べやすい電気泳動表示用素子を提供することにある。
【０００６】
【課題を解決するための手段】
本発明は、電気泳動性粒子と分散媒とを内包してなる電気泳動表示用表示素子であって、表示素子が糸状であることを特徴とする電気泳動表示素子に関する。
【０００７】
また、本発明は、表示素子が、中空糸を含んでなる請求項１記載の表示素子に関する。
【０００８】
また、本発明は、上記表示素子を、電極間に挟んでなる電気泳動表示装置に関する。
【０００９】
また、本発明は、すくなくとも２種の上記表示素子を含む上記電気泳動表示装置に関する。
【００１０】
また、本発明は、電気泳動性粒子と分散媒とを含んでなる電気泳動表示液を糸状の表示素子に内包した後、前記表示素子を電極間に配置することを特徴とする電気泳動表示装置の製造方法に関する。
【００１１】
また、本発明は、電気泳動性粒子と分散媒とを含んでなる電気泳動表示液を内包したものを糸状とした後、前記表示素子を電極間に配置することを特徴とする電気泳動表示装置の製造方法に関する。
【００１２】
【発明の実施の形態】
本発明で用いることのできる電気泳動表示液は、電気泳動粒子と分散媒とを含む。本発明で用いることのできる電気泳動粒子としては、公知の着色帯電粒子が使用できる。また、これらを分散する分散媒も適宜、電気泳動粒子に合わせて選択できる。これらの製造方法も公知のものを使用することが出来る。
【００１３】
本発明は、前記電気泳動表示液を内包した表示素子において、表示素子が糸状であることを特徴とする。本発明でいう糸状の表示素子は、断面の最も長い径に対して、１０倍以上の長さをもつものをいう。断面の形状は特に限定はなく、円形でも楕円でも多角形でも不定形でもよい。断面積も大きさも特に限定はない。
【００１４】
本発明の糸状の表示素子は、例えば、電気泳動表示液を含むマイクロカプセルを合体させて糸状に加工してもよいし、中空糸などの内包可能な糸状の物体に電気泳動表示液あるいは電気泳動表示液を含むマイクロカプセルを充填してもよいし、あるいは、電気泳動表示液を含むミリカプセルを引き延ばして糸状としてもよい。あるいは、とい　のような物体に電気泳動表示液を注入後、蓋などして糸状の表示素子としてもよい。
【００１５】
本発明の糸状の表示素子は、実質的に電気泳動表示液と分散媒とを内包するが、糸状の表示素子内で、これらは連続している必要はなく仕切られていても良い。また、長さ方向に貫通孔を有している場合ならば、貫通孔の数は、２以上であってもよい。また、当初は、中空糸であっても、加工の過程で一部中空でない隔壁部分が生じても良い。
【００１６】
本発明で用いることのできる中空糸の素材は特に制限はなく、ポリスチレン、ポリウレタン、ポリオレフィン、ポリイミド、ポリアミド、ポリエステルなどの公知の有機高分子材料であってもガラス系無機材料であっても良く、光学的に、特に可視部から紫外部にかけての電磁波に対して透明性が高いことが望ましい。
【００１７】
本発明の糸状の表示素子が、カラー表示をするためには色材が必要であるが、電気泳動表示用糸状の表示素子の外部に前記色材を含むフィルターを設けても良く、電気泳動表示液に前記色材を含んでいても良く、中空糸自体が前記色材を含んでいても良く、あるいは、中空糸の外壁及び／もしくは内壁に前記色材層を持っていても良く、更にはこれらを複数組み合わせてもかまわない。
【００１８】
上記色材は、１種の場合、あるいは、２種択一となるように設けられた場合は、１つの糸状の表示素子は、モノカラーであるが、部分的に外部のフィルタや中空糸の色材が塗り分けられていたり、複数の貫通孔を有する中空糸を用いた場合や、あらかじめ異なる色のマイクロカプセルを規則的に並べた後固定化して糸状とした場合などは、１つの糸状の表示素子でマルチカラーを表現できることも可能である。
【００１９】
マルチカラーは、モノカラーの糸状の表示素子を２種以上用いても実現できる。
【００２０】
電気泳動粒子と分散媒とを含む電気泳動表示液を内包した中空糸を製造する手段としては、例えば、前もって公知公用の方法で中空糸を作り、しかる後加圧によって中空糸の貫通孔に電気泳動表示液を送り込んでも良く、逆に吸引によって中空糸の貫通孔に電気泳動表示液を吸い込んでも良い。あるいは双方を併用してもかまわない。また、電気泳動表示液を内包した中空糸を所望の細さまで延伸しても良い。更に、電気泳動粒子と分散媒とを含む電気泳動表示液を内包したマイクロカプセルを作り、これを中空糸の中に入れても良い。また、一本の中空糸の中に異なる発色機能を有するマイクロカプセルを２種類以上入れても良い。
【００２１】
電気泳動表示用の糸状の表示素子を表示パネル状に配置する手段には特に制限が無く、糸状の表示素子の配置にあたっては、１つ１つを基板上に配置しても良いし、糸状の表示素子同士をまとめてから基板状に配置しても良い。また、配置後に表示素子同士が一体となるようにしてもよい。
【００２２】
例えば、光ファイバー用テープ心線の製造技術を使って、パネル幅のテープ心線を作って全面に配置しても良いし、糸状の表示素子を複数含んで成るテープ心線を複数枚張り合わせてパネル状にしても良い。
【００２３】
また、糸状の表示素子を表示パネル状に配置する形状にも特に制限はなく、直線状に並べても、渦巻き状であっても、つづら折り状であっても、波形に並べても、あるいは、不定形であっても良く、これらの組合わせであっても良い。また、１つの糸状の表示素子だけで全画面を覆ってもよい。
【００２４】
図１は、電気泳動表示装置の一例の中空糸の長さ方向の断面を示したものである。（１）は基盤、（２）は電極、（３）は電気泳動性粒子、（４）は中空糸、（５）は分散媒、（７）は保護層、（８）は透明電極をそれぞれ示している。中空糸を挟んで相対した電極と透明電極とは逆の電荷が印加され、中空糸中の白色の電気泳動性粒子と黒色の電気泳動性粒子とはそれぞれの粒子の有する電荷によって別々な電極に誘引される（図中に、黒色の電気泳動性粒子は示さず。）。
【００２５】
図２は、電気泳動表示装置の一例の中空糸の長さ方向を示したものである。（１）は基盤、（２）は電極、（３）は電気泳動性粒子、（４）は中空糸、（５）は分散媒、（６）はマイクロカプセル、（７）は保護層、（８）は透明電極をそれぞれ示している。中空糸を挟んで相対した電極と透明電極とは逆の電荷が印加され、マイクロカプセル中の白色の電気泳動性粒子と黒色の電気泳動性粒子とはそれぞれの粒子の有する電荷によって別々な電極に誘引される（図中に、黒色の電気泳動性粒子は示さず。）。
【００２６】
図３は、それぞれ別の発色機能を有する３種類の中空糸（９）（１０）（１１）を配置した一例を正面から見たときの図である。
【００２７】
【発明の効果】
本発明により、本発明の目的は、２種以上の表示素子を規則正しく並べやすい電気泳動表示用素子を提供することにある。
【図面の簡単な説明】
【図１】図１は、電気泳動表示装置の一例の中空糸の長さ方向の断面を示す。
【図２】図２は、電気泳動表示装置の一例の中空糸の長さ方向を示す。
【図３】それぞれ別の発色機能を有する３種類の中空糸を配置の一例を示す。
【符号の説明】
（１）は基盤、（２）は電極、（３）は電気泳動性粒子、（４）は中空糸、（５）は分散媒、（６）はマイクロカプセル、（７）は保護層、（８）は透明電極、（９）（１０）（１１）はそれぞれ別の発色機能を有する３種類の中空糸を表す。
【図１】
2004070206.tif 000003
【図２】
2004070206.tif 000004
【図３】
2004070206.tif 000005